(57)【要約】【課題】  重量のある据置き台や錘を使わなくても、強い風に対して転倒し難く、かつ、設置や撤去を容易に行うことができる簡易なバリケードを提供する。【解決手段】  Ａ字形状の脚部材と、棒状の水平部材と、言葉や記号が記載された表示具を組合わせて構成されるバリケードであって、前記水平部材は、前記脚部材の頂部に支持された状態で固定されるとともに、前記表示具は前記水平部材の円周方向に対して回転自在に取り付けられている。【選択図】  図１
2018040130.tif 000002
【特許請求の範囲】
【請求項１】
Ａ字形状の脚部材と、棒状の水平部材と、言葉や記号が記載された表示具を組合わせて構成されるバリケードであって、
前記水平部材は前記脚部材の頂部に支持された状態で固定されるとともに、前記表示具は前記水平部材の円周方向に対して回転自在に取り付けられることを特徴とする、バリケード。
【請求項２】
前記表示具は、円筒形状に加工されたシートからなることを特徴とする、請求項１に記載のバリケード。
【請求項３】
前記表示具には、同じ言葉や記号が複数併記されていることを特徴とする、請求項１または請求項２に記載のバリケード。
【発明の詳細な説明】
【技術分野】
【０００１】
本発明は、工事現場や工場の敷地内などにおいて、関係者以外の人の立ち入りを制限したり、安全に通ることができる通路を明示するために、様々な場所に設置されるバリケードに関するものである。
【背景技術】
【０００２】
従来より工事現場で使用されているバリケードとしては、図５に示すようなＡ字形状の脚部材２つを単管パイプなどの水平材で連結したＡ型バリケードと称するものや、棒状の部材を門型形状に組んで形成した門型バリケードが知られている。
周囲の状況や工事の進捗に応じて立ち入り禁止区域や安全通路の位置が変わることも多いので、これらのバリケードは、設置や撤去、移動が簡単かつ迅速に行えるように、軽量で簡易な構成が主流である。
例えば、特許文献１、２に示すようなバリケードでは、使用する状態のままでは脚部材や水平部材が嵩ばって運搬や移動に不便なため、各パーツに分解・組立が可能な構成になっているものもある。
【０００３】
このようなバリケードは、長期に亘って屋外に設置される場合、使用期間中に人や乗り物が接触した場合や、振動や衝撃あるいは風などの外力が作用すると位置がずれたり、転倒し易いという問題があった。
【０００４】
この問題を解決するために、特許文献3では、図６に示すように門型バリケードを固定するための据置き台を２つ所定の位置に設置し、その上面に設けた穴に脚を差し込んでバリケードを立設する構造が開示されている。
【０００５】
しかし、門型バリケードの転倒を防止するためには、据置き台のサイズと重量に一定以上の大きさが必要になるため、設置ならびに移動や運搬にも手間と労力がかかる上、保管場所も別途確保する必要がある。
また、傾斜した場所や凸凹のある地面では据置き台が不安定になり易く、転倒の恐れも高くなるため、通常は平坦な場所にしか使えないという問題があった。
【先行技術文献】
【特許文献】
【０００６】
【特許文献１】特開平１０−８８５３５号公報
【特許文献２】特開２００４−３２７３号公報
【特許文献３】実開平０５−８９７０８号公報
【発明の概要】
【発明が解決しようとする課題】
【０００７】
本発明は、上記の問題を考慮してなされたもので、据置き台やこれに相当するような錘は必要なく、強風に対しても簡単な構成で転倒し難いバリケードを提供する。
【課題を解決するための手段】
【０００８】
上記の課題を解決するために、本出願の第１の発明は、Ａ字形状の脚部材と、棒状の水平部材と、言葉や記号が記載された表示具を組合わせて構成されるバリケードであって、
前記水平部材は前記脚部材の頂部に支持された状態で固定されるとともに、前記表示具は前記水平部材の円周方向に対して回転自在に取り付けられることを特徴とする。
また、本出願の第２の発明は、前記表示具は、円筒形状に加工されたシートであることを特徴とする。
更に、本出願の第３の発明は、前記表示具には、同じ言葉や記号が複数併記されていることを特徴とする。
【発明の効果】
【０００９】
本発明によれば、水平部材に回転自在に取り付けられた表示具が、回転することで風の力を逸散させるので、バリケードの頂部が受ける風の力（風圧）を最小限にし、風による転倒の可能性が小さくなる。
脚部材は従来のバリケードのものを転用してもよく、水平部材も、単管パイプや塩ビパイプなど、既往の材を用いればよい。
【００１０】
また、シートは紙や樹脂などの材料で構成されるが、これらに限らず、風雨や日射による熱・紫外線など、設置する場所に応じた耐久性と所定の強度があり、加工のし易さに必要な可撓性や柔軟性を備えた材料であればよい。
【図面の簡単な説明】
【００１１】
【図１】は、本発明に係るバリケードの態様の一例を示す正面図である。
【図２】は、本発明に係るバリケードの態様の一例を示す斜視図である。
【図３】は、複数の矢印を印刷したシートの全体図である。
【図４】本発明に係る表示具の他の一例を示す正面図である。
【図５】は、従来のＡ型バリケードの一例である。
【図６】は、据置き台に差込んで固定された門型バリケードである。
【発明を実施するための形態】
【００１２】
以下に、本願発明に係る実施の態様を図面に基づいて詳しく説明する。なお、本明細書においては、各図にわたって記された同じ符号は、同一または同様の部材、若しくはものを意味する。
【００１３】
図１〜図４に本発明に係るバリケードの実施態様を示す。脚部材１は、Ａ字形状に成形されたプラスチック材から成り、通常２つを1組として用いる。脚部材１の頂部には、所定の長さの水平部材（単管パイプ）２の両端部が接続部材４を介して固定され、必要な数を地面の上に並べて設置されている。
標示具３は円筒形状に加工されたシートが水平部材２の周囲に取り付けられており、その表面には複数の矢印が、水平部材２と並行方向に記載されている。ここで用いた表示具３は、パソコンの画面上で描いた矢印を端部に余白を残してＡ３用紙に印刷し、紙の表面にラミネート加工を施した上で、パイプ材の径より大きな径で丸めた状態で余白部分を接着（糊付け）して取り付けた。
【００１４】
図３に示すように、矢印は所定の間隔で平行に複数印刷されているので、表示具３が風で回転したり変形したとしても、常に矢印を視認することができる。矢印の大きさや間隔は、表示具３が風で回転することを想定し、その径に応じて常に視認できるように調整すればよい。
回転方向において定位置を定めたい場合には、端部の余白部分に錘代わりになる面ファスナーを取り付けて、断面上での重心を偏らせたり、楕円形（偏平）に加工すればよい。これによって、風の力で回転したとしても自然に面ファスナーの部分が水平部材２の下に来たり、楕円の長半径が鉛直方向に来て元の状態に戻ることが可能になる。
【００１５】
このように、表示具が回転したり、円筒形にして風の抵抗を小さくしたり、更には可撓性や柔軟性のある材料を用いて変形可能にすることで、バリケードの頂部に作用する風の力を小さくし、転倒を抑制することができる。その結果、強い風が始終吹いている海岸エリアや、広い野原に用いるのに好適である。
【００１６】
本実施例では、円筒形状の標示具３の内面が水平部材２の表面上部に接しているだけで、固定していない。このため、風が吹けば水平部材２の周囲を回転可能であるとともに、水平方向にも移動する。水平移動を抑制したい場合は、水平部材２にストッパーを設けて移動を拘束するか、あるいは表示具２の長さを脚部材１の間隔に近い大きさにすればよい。
【００１７】
以上、本発明の実施形態について説明した。本発明は上述の実施形態に限らず、本発明の主旨を逸脱しない範囲において、上記の各構成要素について適宜変更可能である。
上記実施例では、表示具３自体を円形に加工して水平部材２に取り付けたが、例えば、表示具にリング状の接続具を取り付け、これを介して表示具３を水平部材に取り付けることで、回転可能にすることもできる。
また、２つの脚部材１を１本の水平部材２で構成される例を説明したが、補強や補剛を目的として、水平部材２を複数設けてもよく、上記実施例は、水平部材２の位置や本数を変更することを妨げるものではない。
また、表示具３に記載する記号や言葉（単語）は、バリケードを設置する目的や用途に応じて適宜定めることは言うまでもない。
【符号の説明】
【００１８】
１      脚部材
２         水平部材（単管パイプ）
３          標示具
４          接続部材
【図１】
2018040130.tif 000003
【図２】
2018040130.tif 000004
【図３】
2018040130.tif 000005
【図４】
2018040130.tif 000006
【図５】
2018040130.tif 000007
【図６】
2018040130.tif 000008